(57)【要約】【課題】  良好な介護スペースを確保することのできる浴室の出窓構造を提供する。【解決手段】  出窓２内に形成されたカウンター部３に、背もたれ勾配立面４ａ，フランジ部４ｂをオーバーラップさせ、左右側には開放スペース６ａ，６ｂを形成させて浴槽４が設置されている。【選択図】  図１
2007023516.tif 000002
【特許請求の範囲】
【請求項１】
出窓に形成されたカウンター部にオーバーラップさせ、左右側にはスペースを空けて浴槽が設置されたことを特徴とする浴室の出窓構造。
【請求項２】
前記出窓を形成する出窓フレームを防水パン上に載置したことを特徴とする請求項１に記載の浴室の出窓構造。
【請求項３】
前記出窓を形成する出窓フレームを、土台と梁間隔いっぱいに形成し、該土台と梁に固定させたことを特徴とする請求項１に記載の浴室の出窓構造。
【請求項４】
前記浴槽の立ち面の一部が前記出窓内に配置されていることを特徴とする請求項１または請求項２または請求項３に記載の浴室の出窓構造。
【発明の詳細な説明】
【技術分野】
【０００１】
本発明は、浴室における出窓構造に関するものである。
【背景技術】
【０００２】
従来、特許文献１に開示されているように、出窓に形成されたカウンターにオーバーラップさせて浴槽が設置されたものが存在する。
【特許文献１】特開平１１−１９０１３７号公報
【発明の開示】
【発明が解決しようとする課題】
【０００３】
上記特許文献１に開示されている構造は、浴槽の左右側にスペースが存在せず、浴槽の側部に介護者が立って老人等の入浴動作を補助できるような構造とはなっておらず、介護を良好に行なうことができないものであった。
【課題を解決するための手段】
【０００４】
本発明は上記従来の問題点に鑑み案出したものであって、良好に老人等の介護を行なうことのできる浴室の出窓構造を提供せんとするものであり、その請求項１は、出窓に形成されたカウンター部にオーバーラップさせ、左右側にはスペースを空けて浴槽が設置されたことである。
また、請求項２は、前記出窓を形成する出窓フレームを防水パン上に載置したことである。
また、請求項３は、前記出窓を形成する出窓フレームを、土台と梁間隔いっぱいに形成し、該土台と梁に固定させたことである。
また、請求項４は、前記浴槽の立ち面の一部が前記出窓内に配置されていることである。
【発明の効果】
【０００５】
本発明の浴室の出窓構造は、出窓に形成されたカウンター部にオーバーラップさせ、左右側にはスペースを空けて浴槽が設置されたことにより、浴槽の一部を出窓内のカウンターにオーバーラップさせて設置して、浴室空間を広く確保することができ、浴槽の左右側に形成されるスペースを利用して、このスペース内に介護者が入り、老人等の入浴動作を良好に介護できるものとなる。
【０００６】
出窓を形成する出窓フレームを防水パン上に載置したことにより、出窓からの流水を確実に防水パン上に排水することができ、漏水の虞がないものとなる。
【０００７】
出窓を形成する出窓フレームを、土台と梁間隔いっぱいに形成し、土台と梁に固定させたことにより、出窓フレームを土台と梁の補強として機能させることができ、しかも出窓を土台と梁間いっぱいに形成することができるために、出窓のスペースを最大限に確保することができるものとなる。
【０００８】
浴槽の立ち面の一部が出窓内に配置されていることにより、浴室内の床面積を拡張せずに浴室の空間容積を最大限に利用することができるものとなる。
【実施例】
【０００９】
以下、本発明の実施例を図面に基づいて説明する。
図１は、出窓を設けた浴室の概略斜視構成図である。
図において、浴室１には、外側へ出っ張って窓２ａを有する出窓２が設けられており、この出窓２内には、所定高さ位置に水平状にカウンター部３が形成されている。
【００１０】
このカウンター部３の長手方向中央部に、浴槽４のフランジ部４ｂがオーバーラップして載せられており、このフランジ部４ｂ側の浴槽４には、傾斜状の背もたれ勾配立面４ａが形成され、この背もたれ勾配立面４ａがカウンター部３内に嵌まり込んだ状態で、浴槽４がカウンター部３の長手方向と直交状に浴室１の洗い場５に設置されており、浴槽４の左右側には洗い場５と連通したスペース６ａ，６ｂが形成されている。
【００１１】
また、浴槽のフランジ部４ｂの左右側のカウンター部３上には、余裕スペース３ａ，３ｂが形成されており、この余裕スペース３ａ，３ｂは、腰掛け用や移乗台用としても、また仮置き棚としても用いることができるように構成されている。
なお、前記浴槽４の左右側の介護スペース６ａ，６ｂは、例えば介護者が自由に入って身体を動かすことのできる程度の３００mm〜６００mmの寸法ａに設定されている。
【００１２】
このような構成では、浴槽１の一部が出窓２内のカウンター部３にオーバーラップさせて設置されているため、洗い場５の空間を広く確保することができるものとなり、しかも、この洗い場５と連通状に浴槽４の左右に形成されている介護スペース６ａ，６ｂに介護者が入って、浴槽４内で入浴する老人等を介護できるものとなる。
また、カウンター部３上の左右の余裕スペース３ａ，３ｂに腰を降ろした状態で、良好に浴槽４内に足を跨ぎ込ませて入ることができ、また、この余裕スペース３ｂ上には備品等を良好に仮置きしておくことができるものとなる。
【００１３】
なお、図２は、形状の異なる浴槽４をカウンター部３に一部をオーバーラップさせて設置した状態を示すものであり、浴槽４の背もたれ勾配立面４ａがカウンター部３内へ張り出して設置され、カウンター部３上に浴槽のヘッドレスト部４ｃがオーバーラップされた状態で設置されている。
このような浴槽４においても、浴槽４の左右側には、介護者が入って良好に介護できる介護スペース６ａ，６ｂが形成されている。
【００１４】
さらに図３は、形状の異なる浴槽の設置状態であり、図３における長方形状の浴槽４においても、背もたれ勾配立面４ａがカウンター部３内に張り出しており、カウンター部３上にオーバーラップしてヘッドレスト部４ｃが配置されて、浴槽４の左右側には介護スペース６ａ，６ｂが形成されている。
【００１５】
なお、図４は、図３の概略断面構成図を示すものであり、浴槽４の背もたれ勾配立面４ａはカウンター部３の内部に入り込んで設置されており、この背もたれ勾配立面４ａの裏のカウンター部３の下方に、配管を通すことのできる配管スペースＳが形成され、この配管スペースＳ内に、配管を良好に隠蔽させてすっきりとした状態で施工することができるものである。
なお、図４では、浴槽のヘッドレスト部４ｃの窓２ａ側は垂直な後端面４ｄとなっており、また、洗い場５側のエプロン７も垂直に立設されている。
【００１６】
図５では、変更例を示すものであり、図５においては、浴槽のヘッドレスト部４ｃの窓２ａ側の後端面４ｄが、窓２ａ側へ向かって上傾した逆勾配の傾斜状に形成されており、また、洗い場５側のエプロン７は、洗い場５側へ向かって上傾した逆勾配の傾斜状に設けられている。
このような形状とすることで、カウンター部３上面を広く活用して備品等を置くことができるものとなり、また、逆勾配のエプロン７により洗い場５のスペースを広く確保することができるものとなる。
【００１７】
次に、図６の平面図で示すものは、略円形状の浴槽４をカウンター部３に一部をオーバーラップさせて設置したものであり、このような略円形状の浴槽４において、浴槽４の外周面と浴室の壁面８間に、移乗台９を位置ずれしない状態に設置することができるものとなる。
この移乗台９は、浴槽４の外周曲面に対応した湾曲凹面９ａを有しており、この湾曲凹面９ａが浴槽４の外周面にほぼ当接状態で設置されることにより、位置ずれしないものとなり、この移乗台９上に腰を降ろした状態で、良好に浴槽４内に足を跨ぎ込ませて入ることができるものとなる。
【００１８】
なお、図７の縦概略断面構成図で示すものは、浴室１の床面を構成する浴室防水パン１０と、出窓２を形成する出窓フレーム２０との連結状態を示すものであり、出窓２を形成する出窓フレーム２０は金属製であり、梁１２側に連結される上面２０ａの外端から窓２ａを有する前面２０ｂが垂設され、前面２０ｂの下端で浴室側へ水平状に下面２０ｃが形成されており、この下面２０ｃは土台１１上に載せられて設置され、下面２０ｃの先端の垂下片２０ｄが、浴室防水パン１０の先端に立ち上げ形成されている水切片１０ａの内側に重ね合わされて設置されるものである。
なお、カウンター部３は、下面２０ｃから所定高さの位置に、前面２０ｂ側から浴室側に略水平に設置されている。
【００１９】
このような構成では、カウンター部３上を流れる水等は良好に浴室防水パン１０に流し込まれるため、カウンター部３上等で発生する水が外側へ漏水することがない。
なお、図中４ｅは、浴槽４の下面に垂設された脚部であり、この脚部４ｅが浴室防水パン１０上に設置されるものである。
【００２０】
なお、図８で示すように、出窓２を形成する出窓フレーム２０を、土台１１と梁１２の上下間隔いっぱいの寸法に形成して、出窓フレーム２０の下面２０ｃに垂設されている垂下片２０ｄと平行状に垂設させて係合垂下片２０ｅを一体形成させておき、この係合垂下片２０ｅと垂下片２０ｄ間に土台１１を挟み込んで、土台１１に出窓フレーム２０の下面側を固定することができ、また、出窓フレーム２０の上面２０ａと一体状に上面が開口した断面コの字状の係合コの字部２０ｆを形成させておき、この係合コの字部２０ｆを梁１２に嵌め込んで係合させることができるように構成しておけば、出窓フレーム２０が強固な設置状態で取り付けられることとなり、出窓フレーム２０は土台１１と梁１２間の補強材としての機能も果たすこととなり、出窓フレーム２０内の上下寸法が十分に確保されて、広い出窓空間を形成することができるものとなる。
【００２１】
次に、図９で示すものは変更例であり、出窓フレーム２０の下面２０ｃの先端に垂設されている垂下片２０ｄを、浴槽防水パン１０の水切片１０ａの内側に重ね合わせて設置し、出窓フレーム２０内にカウンターが設置されていない場合においても、浴槽４の傾斜状の背もたれ勾配立面４ａを出窓フレーム２０内に張り出させて、背もたれ勾配立面４ａを出窓フレームの下面２０ｃの上方に配置させて浴槽４を設置することができ、このように浴槽４の一部を出窓フレーム２０内に張り出して設置すれば、その分、浴室内空間を広く確保することができるものとなる。
【００２２】
なお、図９のような構造は、図１０に示すようなシャワールーム２１においても適応することができるものであり、シャワールーム２１内に設置される腰掛け２２の腰掛け部２２ａ及び背部２２ｂを、出窓２０内に張り出させて、出窓フレームの下面２０ｃ上方に配置させることができ、このように腰掛け部２２ａの一部を出窓２０内に配置させることで、シャワールーム２１の室内空間を広く確保することができるものとなる。
【００２３】
同様に、図１１に示すように、出窓フレーム２０内にカウンター部３を設置し、このカウンター部３に洗面器２３等を設置して、出窓フレーム２０内の空間を洗面空間として有効に使用することができ、洗面器２３等を備えた水廻り空間において室内側を広く確保することができるものとなる。
【００２４】
なお、図１２の側面縦断面図で、また図１３の要部斜視構成図で示すように、出窓フレーム２０の側面に側面ルーバー２６を設けて、この側面ルーバー２６により出窓フレーム２０内部の空気を対流させて良好に給排気させることができるものであり、また、出窓フレーム２０の前面２０ｂの外側に半透明な半透明板２５を設置し、この半透明板２５の外周を出窓フレーム２０の外周よりも外側へ延長させて外周延出部２５ａを形成させておけば、良好に出窓フレーム２０の内側に太陽光を入れることができ、しかも、外側からは半透明板２５により出窓フレーム２０及び側面ルーバー２６を遮蔽することができ、外側から見た場合の出窓の意匠性が確保されるとともに、浴室内等への採光を確保しつつ、室内側は外側からは見えなくなるためプライバシーも良好に確保されるものとなる。
【図面の簡単な説明】
【００２５】
【図１】出窓を備えた浴室の斜視構成図である。
【図２】形状の異なる浴槽の設置状態の斜視構成図である。
【図３】さらに形状の異なる浴槽の設置状態の斜視構成図である。
【図４】図３の浴槽を設置した状態の縦断面構成図である。
【図５】形状の異なる浴槽を設置した場合の図４に対応させた縦断面構成図である。
【図６】略円形状の浴槽を設置した場合の平面構成図である。
【図７】防水パン上に出窓フレームが設置される場合の縦断面構成図である。
【図８】出窓フレームの変形例の要部縦断面構成図である。
【図９】出窓フレーム内に浴槽の立面の一部を配置して浴槽を設置した状態の概略断面構成図である。
【図１０】シャワールームにおいて出窓内に腰掛けの一部を配置させた状態の縦断面構成図である。
【図１１】水廻り構造において出窓内にカウンターおよび洗面器を設置した状態の縦断面構成図である。
【図１２】出窓フレームの側面にルーバーを設け、出窓フレームの外側に半透明板を設けた場合の側面縦断面構成図である。
【図１３】図１２の斜視構成図である。
【符号の説明】
【００２６】
１  浴室
２  出窓
２ａ  窓
３  カウンター
３ａ，３ｂ  余裕スペース
４  浴槽
４ａ  背もたれ勾配立面
４ｂ  フランジ部
４ｃ  ヘッドレスト部
４ｄ  後端面
５  洗い場
６ａ，６ｂ  介護スペース
７  エプロン
８  壁面
９  移乗台
１０  浴室防水パン
１０ａ  水切片
１１  土台
１２  梁
２０  出窓フレーム
２０ａ  上面
２０ｂ  前面
２０ｃ  下面
２０ｄ  垂下片
２０ｅ  係合垂下片
２０ｆ  係合コの字部
２１  シャワールーム
２２  腰掛け
２２ａ  腰掛け部
２２ｂ  背部
２３  洗面器
２５  半透明板
２５ａ  外周延出部
２６  側面ルーバー
Ｓ  配管スペース
【図１】
2007023516.tif 000003
【図２】
2007023516.tif 000004
【図３】
2007023516.tif 000005
【図４】
2007023516.tif 000006
【図５】
2007023516.tif 000007
【図６】
2007023516.tif 000008
【図７】
2007023516.tif 000009
【図８】
2007023516.tif 000010
【図９】
2007023516.tif 000011
【図１０】
2007023516.tif 000012
【図１１】
2007023516.tif 000013
【図１２】
2007023516.tif 000014
【図１３】
2007023516.tif 000015